(57)【要約】  典型的な発泡体分注器は、筐体、駆動モーター、及び駆動モーターに動作可能に結合された発泡ポンプを含む。前記発泡ポンプは筐体に固定され、前記発泡ポンプは、筐体および成形多室隔壁を含む。前記成形多室隔壁は、１つの液体ポンプ室、２つ以上の空気ポンプ室、及び出口弁を含む。前記１つの液体ポンプ隔壁からの発泡性液体を前記２つ以上の空気ポンプ室の各々からの空気と混合する混合室が含まれ、前記出口弁の下流に配置される。さらに、発泡カートリッジ及び発泡体を分注する出口も含まれる。
2019519258.tif 000002
【特許請求の範囲】
【請求項１】
筐体、
駆動モーター、及び
前記駆動モーターに作動可能に結合され、かつ前記筐体に固定された発泡ポンプを含み、
前記発泡ポンプは、
筐体、
１つの液体ポンプ室、２つ以上の空気ポンプ室及び１つ以上の出口弁を含む成形多室隔壁、及び
前記液体ポンプ室からの発泡性液体を前記２つ以上の空気ポンプ室の各々からの空気と混合する、前記１つ以上の出口弁の下流にある混合室
を含み、
前記混合室と流体連通する発泡カートリッジ、及び
前記発泡カートリッジと流体連通し発泡体を分注する出口
を含む、発泡体分注器。
【請求項２】
前記成形多室隔壁は、さらに１つの流体入口弁及び２つ以上の空気入口弁を含む、請求項１に記載の分注器。
【請求項３】
さらに前記発泡ポンプと流体連通し、詰替ユニットのコネクタに接続する迅速切断コネクタを含む、請求項１に記載の分注器。
【請求項４】
さらに詰替ユニットを含む、請求項１に記載の分注器。
【請求項５】
前記成形多室隔壁は、少なくとも３つの空気ポンプ室を含む、請求項１に記載の分注器。
【請求項６】
さらに前記液体ポンプ室への液体の流れを制御する流量制御弁を含む、請求項１に記載の分注器。
【請求項７】
前記液体ポンプ室は、分注された発泡体の各用量において、約０．１〜約１．０ｍＬの液体容積を圧送する、請求項１に記載の分注器。
【請求項８】
前記液体ポンプ室は、発泡体の各分注において、５〜１５回圧縮される、請求項１に記載の分注器。
【請求項９】
前記発泡ポンプは、約６：１〜約８：１の空気：液体比を有する発泡体を生成するようになっている、請求項１に記載の分注器。
【請求項１０】
さらに直流電源を含み、前記電源は、約３〜８Ｖの電圧を有する、請求項１に記載の分注器。
【請求項１１】
さらに直流電源を含み、前記電源は約６Ｖの電圧を有する、請求項１に記載の分注器。
【請求項１２】
前記モーターは、１ｍＬの分注当たり約０．０５〜約０．１２５Ｊを消費する、請求項１に記載の分注器。
【請求項１３】
約２．０〜２．４ｍＬ／秒の速度で発泡体を分注する、請求項１に記載の分注器。
【請求項１４】
発泡性液体を保持する容器、
筐体並びに一つの液体ポンプ室及び３つの空気ポンプ室を含む成形多室隔壁を含む、前記容器に固定された発泡ポンプ、
入口弁、
出口弁、
前記液体ポンプ室からの発泡性液体を前記３つの空気ポンプ室の各々からの空気と混合する、出口弁の下流にある混合室、
前記混合室と流体連通する発泡カートリッジ、及び
前記発泡カートリッジと流体連通し発泡体を分注する出口
を含む、発泡体分注器用の詰替ユニット。
【請求項１５】
さらに前記液体ポンプ隔壁及び前記空気ポンプ隔壁に接続された板を含み、前記板の移動により、少なくとも液体の部分用量が前記混合室内に圧送され、続いて第１の空気用量のうちの少なくとも部分用量が前記混合室内に圧送され、続いて第２の空気用量のうちの少なくとも部分用量が前記混合室内に圧送され、続いて第３の空気用量のうちの少なくとも部分用量が前記混合室内に圧送される、請求項１４の詰替ユニット。
【請求項１６】
分注器筐体と、
前記筐体に固定された発泡ポンプと、
前記発泡ポンプは、
ポンプ筐体と、
１つの液体ポンプ室及び２つ以上の空気ポンプ室を含む成形多室隔壁と、
前記液体ポンプ室及び前記２つ以上の空気ポンプ室を順次圧縮する回転可能な駆動機構とを含み、
前記回転可能な駆動機構が駆動モーターに結合されており、
前記液体ポンプ室及び空気ポンプ室の下流にあり、前記液体ポンプ室からの発泡性液体を３つの空気ポンプ室の各々からの空気と混合する混合室と、
前記混合室と流体連通する発泡カートリッジと、
前記発泡カートリッジと流体連通し発泡体を分注する出口と、
を含む、発泡体分注器。
【請求項１７】
前記発泡ポンプは、約０．０８〜約０．１２５ｇ／Ｌの発泡体密度を生成するようになっている、請求項１６に記載の発泡体分注器。
【請求項１８】
前記発泡ポンプは、約６：１〜約８：１の空気：液体比を有する発泡体を生成するようになっている、請求項１６に記載の分注器。
【請求項１９】
さらに直流電源を含み、前記電源は約３〜８Ｖの電圧を有する、請求項１６に記載の分注器。
【請求項２０】
さらにモーターを含み、前記モーターは、１ｍＬの分注当たり約０．６〜約１．５Ｊを消費する、請求項１６に記載の分注器。
【発明の詳細な説明】
【技術分野】
【０００１】
本発明は、一般に、分注器システム用のポンプ、詰替ユニットに関し、特に、液体石鹸、消毒薬、又はローションを空気と混合し、発泡体を作製し分注する順次作動式多隔壁型発泡ポンプを有するポンプ、詰替ユニット、及び分注器に関する。
【背景技術】
【０００２】
液体石鹸及び消毒剤の分注器のような液体分注器システムは、分注器の作動時に所定量の液体を使用者に提供する。さらに、例えば液体内に空気を注入して液体と気泡の泡混合物を生成することによって、液体を泡の形態で分注することが時には望まれる。
【０００３】
＜関連出願＞
本発明は、２０１６年４月６日出願の「順次作動式多隔壁型発泡ポンプ、詰替ユニット及び分注器システム」と題する米国仮出願第６２／３１９，０６１号、２０１７年２月１０日出願の「高品質非エアロゾル手消毒発泡体」と題する米国出願第１５／４２９，３８９号、２０１６年１２月５日出願の「順次作動式多隔壁型発泡ポンプ、詰替ユニット及び分注システム」と題する米国出願第１５／３６９，００７号、２０１６年１１月１８日出願の「順次作動式多隔壁型発泡ポンプ、詰替ユニット及び分注器システム」と題する米国出願第１５／３５５，１１２号、２０１６年１１月１４日出願の「改良された発泡カートリッジ」と題する米国出願第１５／３５０，１９０号、及び２０１６年１１月２１日に出願の「空気：液体比が高い発泡体分注システム、ポンプ及び詰替ユニット」と題する米国出願第１５／３５６，７９５号の優先権及び利益を主張する。これらの各々は、その全体が参照により本明細書に組み込まれる。
【発明の概要】
【課題を解決するための手段】
【０００４】
＜本発明の要旨＞
本出願は、複数の順次作動式多隔壁型発泡ポンプ、複数の詰替ユニット及び複数の分注器システムの典型的な態様を開示し、各詰替ユニットは対応する多隔壁型発泡ポンプを順次作動させる。
【０００５】
典型的な発泡体分注器は、筐体、駆動モーター、及び駆動モーターに作動可能に結合された発泡ポンプを含む。発泡ポンプは筐体に固定され、発泡ポンプは、筐体と成形多室隔壁を含む。成形多室隔壁は、１つの液体ポンプ室、２つ以上の空気ポンプ室、及び出口弁を含む。液体ポンプ隔壁からの発泡性液体を２つ以上の空気ポンプ室の各々からの空気と混合する混合室が含まれ、この混合室は出口弁の下流に配置される。さらに、発泡カートリッジ及び発泡体を分注する出口も含まれる。
【０００６】
発泡体分注器用の典型的な詰替ユニットは、発泡性液体を保持する容器と、容器に固定された発泡ポンプとを含む。発泡ポンプは、筐体と成形多隔壁室を含む。成形多隔壁室は、１つの液体ポンプ室と３つの空気ポンプ室とを含む。発泡ポンプはまた、入口弁、出口弁、及び液体ポンプ室からの発泡性液体を３つの空気ポンプ室の各々からの空気と混合するための出口弁の下流にある混合室を含む。詰替ユニットはさらに、混合室と流体連通する発泡カートリッジと発泡体を分注する出口を含み、この出口は発泡カートリッジと流体連通している。
【０００７】
別の典型的な発泡体分注器は、分注器筐体と、筐体に固定された発泡ポンプとを含む。発泡ポンプは、ポンプ筐体と、成形多隔壁室とを含む。成形多隔壁室は、１つの液体ポンプ室と３つの空気ポンプ室とを含む。液体ポンプ室及び２つ以上の空気ポンプ室を順次圧縮する回転可能な駆動機構も含む。回転可能な駆動機構は、駆動モーターに結合する。混合室は、液体ポンプ室からの発泡性液体を３つの空気ポンプ室の各々からの空気と混合するように、液体及び空気ポンプ室の下流に配置される。発泡カートリッジが含まれ、かつ混合室と流体連通している。さらに、分注器は発泡体を分注する出口を含み、出口は発泡カートリッジと流体連通している。
【０００８】
発泡体分注器用の典型的な詰替ユニットは、発泡性液体を保持する容器、容器に固定された発泡ポンプ、発泡カートリッジ、出口、及び作動機構を含む。発泡ポンプは、筐体、液体ポンプ隔壁、複数の空気ポンプ隔壁、及び混合室を含む。液体ポンプ隔壁からの液体と空気ポンプ隔壁からの空気は、混合室内で混ざり合い泡混合物を形成する。発泡カートリッジは混合室と流体連通し、泡混合物は発泡カートリッジを通って移動する。１回分の発泡体は発泡カートリッジを出て、この１回分の発泡体は詰替ユニットの出口から分注される。作動機構は、分注器に恒久的に取り付けられた駆動システムに取り外しできるように接続する。詰替ユニットが分注器に接続され、かつ駆動システムが作動すると、作動機構は、液体ポンプ隔壁と複数の空気ポンプ隔壁を順次作動させる。液体ポンプ隔壁と空気ポンプ隔壁が連続的に作動すると、液体ポンプ隔壁が少なくとも部分用量の液体を混合室内に圧送し、かつ空気ポンプ隔壁が少なくとも部分用量の空気を混合室内に圧送する。
【０００９】
発泡体分注器用の別の典型的な詰替ユニットは、発泡性液体を保持する容器、容器に接続された発泡ポンプ、混合室、発泡カートリッジ、出口、及び板を含む。発泡ポンプは複数の隔壁ポンプ室を有する。少なくとも１つの隔壁ポンプ室が液体を圧送し、少なくとも２つの隔壁ポンプ室が空気を圧送する。混合室は、液体と空気を混合して泡混合物を形成するために、複数の隔壁ポンプ室の下流に配置される。発泡カートリッジは混合室の下流に配置され、泡混合物は、発泡カートリッジを通り抜けて濃縮発泡体として発泡カートリッジから出る。発泡体は詰替ユニットの出口を経て分注される。板は、複数の隔壁ポンプ室に接続されている。詰替ユニットを発泡体分注器内に取り付けると、板は発泡体分注器に恒久的に固定された駆動システムと係合し、また詰替ユニットを発泡体分注器から取り外すと、板は駆動システムとの係合を解除するようになっている。板を軸の周りに移動させることで、液体の少なくとも部分用量が混合室内に圧送され、続いて第１の空気用量のうちの少なくとも部分用量が混合室に圧送され、続いて第２の空気用量のうちの少なくとも部分用量が混合室に圧送される。
【００１０】
発泡体分注器用の別の典型的な詰替ユニットは、発泡性液体を保持する容器、容器に固定された順次作動式多隔壁型発泡ポンプ、揺動板、ピン、発泡カートリッジ、及び発泡体出口を含む。順次作動式多隔壁型発泡ポンプは、液体を混合室内に圧送する液体ポンプ隔壁、空気を混合室内に圧送する第１の空気ポンプ隔壁、及び空気を混合室内に圧送する第２の空気ポンプ隔壁を有する。揺動板は、液体ポンプ隔壁、第１の空気ポンプ隔壁、及び第２の空気ポンプ隔壁に固定される。ピンは、揺動板に接続された第１の端部と固定されていない第２の端部を有する。環状通路内でピンの第２の端部が移動すると、液体ポンプ隔壁、第１の空気ポンプ隔壁、及び第２の空気ポンプ隔壁に順次圧縮が起こる。ピンの第２の端部は、発泡体分注器に恒久的に接続された偏心した駆動システムに取り外しできるように接続される。発泡カートリッジは混合室の下流にあり、発泡体出口は発泡カートリッジの下流にある。発泡体は発泡体出口から分注される。
【００１１】
発泡体分注器の別の典型的な詰替ユニットは、発泡性液体を保持する容器、順次作動式多隔壁型発泡ポンプ、板、発泡カートリッジ、及び出口を含む。順次作動式多隔壁型発泡ポンプは、筐体、筐体に固定された液体ポンプ部、筐体に固定された空気ポンプ部、混合室、及びポンプ出口を含む。液体ポンプ部は、液体入口、液体入口弁、液体ポンプ隔壁、液体出口弁、及び液体出口を有する。空気ポンプ部は、第１の空気入口及び第２の空気入口、第１の空気入口弁及び第２の空気入口弁、第１の空気ポンプ隔壁及び第２の空気ポンプ隔壁、第１の空気出口弁及び第２の空気出口弁、並びに第１の空気出口及び第２の空気出口を有する。混合室は、液体出口、第１の空気出口、及び第２の空気出口と流体連通している。液体ポンプ隔壁は、１回分の液体を混合室内に圧送する。第１の空気ポンプ隔壁は、混合室内に１ショットの空気を圧送し液体と混合して、液体と空気の混合物を形成する。第２の空気ポンプ隔壁は、混合室内に１ショットの空気を圧送し液体と空気の混合物と混ぜ合わせて、泡混合物を形成する。泡混合物はポンプ出口から分注される。板は、液体ポンプ隔壁、第１の空気ポンプ隔壁、及び第２の空気ポンプ隔壁に接続される。詰替ユニットを発泡体分注器内に取り付けると、板は発泡体分注器に恒久的に固定された駆動システムと係合し、また、詰替ユニットを発泡体分注器から取り外すと、板は駆動システムとの係合を解除するようになっている。板の軸周りの移動により、１回分の液体ショットが液体ポンプ隔壁から混合室内に圧送され、続いて１回分の空気が第１の空気ポンプ隔壁から混合室内に圧送され、続いて１回分の空気が第２の空気ポンプ隔壁から混合室内に圧送される。発泡カートリッジはポンプ出口と流体連通し、詰替ユニットの出口は発泡体カートリッジと流体連通している。発泡体は詰替ユニットの出口から分注される。さらに、いくつかの典型的な詰替ユニットは板を含まず、発泡体分注器の駆動機構は、板を必要とせずに隔壁を順次圧縮するようになっている。
【図面の簡単な説明】
【００１２】
【図１】発泡体分注器用の詰替ユニットの典型的な態様である。
【図２】発泡体分注器の典型的な態様である。
【図２Ａ】〔図１〕の典型的な詰替ユニットを装着した〔図２〕の典型的な発泡体分注器である。
【図３】第１の透視方向からの順次作動式多隔壁型発泡ポンプ及びモーターの典型的な態様の分解図である。
【図４】〔図３〕の順次作動式多隔壁型発泡ポンプ及びモーターの第２の透視方向からみた典型的な態様の分解図である。
【図５】〔図３〕の典型的な態様の順次作動式多隔壁型発泡ポンプの典型的な隔壁組立体の平面図である。
【図６】〔図５〕の典型的な隔壁組立体の底面図である。
【図７】〔図３〕の典型的な態様の順次作動式多隔壁型発泡ポンプの典型的な弁座の平面図である。
【図８】〔図７〕の典型的な弁座の底面図である。
【図９】〔図３〕の典型的な態様の順次作動式多隔壁型発泡ポンプの典型的な隔壁組立体座の平面図である。
【図１０Ａ】〔図３〕の順次作動式多隔壁型発泡ポンプの液体ポンプ部分の〔図５〕〜〔図９〕のＡ−Ａ線に沿った断面図である。
【図１０Ｂ】〔図３〕の順次作動式多隔壁型発泡ポンプの第１の空気ポンプ部分の〔図５〕〜〔図９〕のＢ−Ｂ線に沿った断面図である。
【図１０Ｃ】〔図３〕の順次作動式多隔壁型発泡ポンプの第２の空気ポンプ部分の〔図５〕〜〔図９〕のＣ−Ｃ線に沿った断面図である。
【図１１】順次作動式多隔壁型発泡ポンプの別の典型的な態様の断面図である。
【図１２】順次作動式多隔壁型発泡ポンプを有する詰替ユニットの典型的な態様の透視図である。
【図１３】〔図１２〕の後部カバー付きの順次作動式多隔壁型発泡ポンプを有する詰替ユニットの典型的な態様の背面図である。
【図１４】〔図１２〕の後部カバーなしの順次作動式多隔壁型発泡ポンプを有する詰替ユニットの典型的な態様の透視図である。
【図１５】〔図１２〕の後部カバーなしの順次作動式多隔壁型発泡ポンプを有する詰替ユニットの典型的な態様の背面図である。
【図１６】順次作動式多隔壁型発泡ポンプをその内部に設置した詰替ユニットを備える典型的な発泡体分注器である。
【図１７】詰替ユニットを取り外した典型的な発泡体分注器である
【図１８】〔図１６〕の典型的な発泡体分注器のための典型的なモーター及び駆動システムである。
【図１９Ａ】順次作動式多隔壁型発泡ポンプの別の典型的な態様の透視図である。
【図１９Ｂ】〔図１９Ａ〕の順次作動式多隔壁型発泡ポンプの分解透視図である。
【図２０Ａ】〔図１９Ａ〕の典型的な態様の順次作動式多隔壁型発泡ポンプの分解側面図である。
【図２０Ｂ】〔図１９Ａ〕の典型的な態様の順次作動式多隔壁型発泡ポンプの断面分解側面図である。
【図２１Ａ】〔図１９Ａ〕の典型的な態様の順次作動式多隔壁型発泡ポンプの平面図である。
【図２１Ｂ】〔図１９Ａ〕の典型的な態様の順次作動式多隔壁型発泡ポンプの正面図である。
【図２１Ｃ】〔図１９Ａ〕の典型的な態様の順次作動式多隔壁型発泡ポンプの側面図である。
【図２１Ｄ】〔図１９Ａ〕の典型的な態様の順次作動式多隔壁型発泡ポンプの〔図２１Ａ〕のＡ−Ａ線に沿った側面断面図である。
【図２１Ｅ】〔図１９Ａ〕の典型的な態様の順次作動式多隔壁型発泡ポンプの〔図２１Ｂ〕のＣ−Ｃ線に沿った断面図である。
【図２２】順次作動式多隔壁型発泡ポンプの別の典型的な態様の断面図である。
【図２３】順次作動式多隔壁型発泡ポンプの別の典型的な態様の分解図である。
【図２４】順次作動式４つの隔壁型発泡ポンプの典型的な態様の透視図である。
【図２５】順次作動式４つの隔壁型発泡ポンプの典型的な態様の断面図である。
【図２６】典型的な出口ノズルの透視図である。
【図２７】〔図２６〕の典型的な出口ノズルの断面図である。
【発明を実施するための形態】
【００１３】
本出願は、発泡体分注器及び順次作動式多隔壁型発泡ポンプを有する詰替ユニットの典型的な態様を開示する。いくつかの典型的な態様は、揺動板及び３つ以上のポンプ隔壁を含む。３つ以上のポンプ隔壁は、少なくとも１つの液体ポンプ隔壁及び少なくとも２つの空気ポンプ隔壁を含む。各液体ポンプ隔壁は、例えば石鹸、消毒剤、又はローションのような液体を受け入れる液体入口を有し、各空気ポンプ隔壁は、空気を受け入れる空気入口を有する。３つ以上のポンプ隔壁は順次作動し、各ポンプ隔壁は作動サイクル中に１回作動する。作動サイクルは、液体ポンプ隔壁の作動から始まる。さらに、順次作動式多隔壁型発泡ポンプは、混合室を含む。各液体ポンプ隔壁は、液体を混合室内に圧送し、各空気ポンプ隔壁は、混合室内に空気を圧送する。液体は混合室内で空気と混ざり合って、ポンプ出口から分注される泡混合物を生成する。本発明のいくつかの態様において、泡混合物は、約７：１〜約１０：１の空気：液体比を有する。いくつかの態様において、空気：液体比は１０：１より大きく、いくつかの態様において、７：１より小さい。
【００１４】
順次作動式多隔壁型発泡ポンプは、発泡体分注器に使用してもよい。典型的な発泡体分注器は、筐体、モーター、詰替ユニット、順次作動式多隔壁型発泡ポンプ、及び発泡カートリッジを含む。ポンプは、詰替ユニットから発泡性液体を受け入れ、発泡性液体を空気と混合して泡混合物を生成し、発泡カートリッジを経て泡を富化して使用者に発泡体を分注する。
【００１５】
図１は、発泡体分注器用の詰替ユニット１００を示す。詰替ユニット１００は、折り畳み式容器１０２を含む。折り畳み式容器１０２は、ネック１０３、及び液もれなし瞬間コネクタ１０４を含む。液もれなし瞬間コネクタの例は、「バッグ等を含むバッグ及び分注システム」と題する米国出願第６，８７１，６７９号、及び「液体分注を制御するコネクタ装置及びそれを接続する方法」と題する米国出願第７，６４７，９５４号に開示され、これらの全体を参照により明細書に組み込んでいる。詰替ユニットは、発泡性液体の供給を含む。様々な態様において、含まれる発泡性液体は、例えば、石鹸、消毒剤、洗浄剤、殺菌剤、ローションなどである。容器は、折り畳み可能な容器であり、かつ薄いプラスチック又は柔軟性の袋状の材料で作製することができる。他の態様において、容器は、漏出することなく発泡性液体を収容するために、剛性筐体部材によって形成された折り畳みできない容器又は他の適切な構成であってもよい。折り畳みできない容器の場合に、通気システムが含まれてもよい。典型的な通気システムは、「分注器容器の通気のための閉鎖システム」と題する米国出願第２０１５／０２６６６５７号、「容器通気口を備えるポンプ」と題する米国出願第２０１５／０２５１８４号、及び「通気された詰替ユニット及び通気された詰替ユニットを有する分注器」と題する米国出願公報第１４／８１１，９９５号に開示され、それらは参照により本明細書内に組み込まれる。
【００１６】
図２は、非接触式発泡体分注器２００の典型的な態様を示す。非接触式発泡体分注器２００は、筐体２０２、モーター２０４、発泡体ポンプ２０６、詰替ユニットコネクタ２０８、発泡カートリッジ２１０、及びノズル２１２を含む。発泡カートリッジ２１０の典型的な態様は、米国出願第２０１４０３６７４１９号に提示かつ記載され、その全体が参照により本明細書に組み込まれる。詰替ユニット１００は、図２Ａに示すように、詰替ユニットコネクタ２０８に接続されてもよい。詰替ユニット１００は、石鹸、消毒剤、ローション、洗浄剤、殺菌剤などの発泡性液体を含む。非接触式発泡体分注器２００は、センサ２１４が使用者又は対象物の存在を検出すると作動する。対象物又はユーザを検出すると、センサ２１４は、電子制御ボード２１６内の処理装置（図示せず）に信号を送信する。電子制御ボード２１６は、モーター２０４に偏心揺動板アクチュエータ駆動機構３０１を回転させる出力信号を送信する。センサ２１４及び電子制御ボード２１６は、電源２１８から電力を受け取る。いくつかの態様において、モーター２０４は、電源２１８から電力を受け取り、他の態様において、詰替ユニットは、再充電可能な電源（図示せず）に電力を供給する電源（図示せず）を含む。揺動板アクチュエータ駆動機構３０１（図３）に電力を供給する電源を備える詰替ユニットの典型的な態様は、「電源を含む非接触式分注器及び詰替ユニットのための電力システム」と題する米国出願第２０１４／０２３４１４０号に提示かつ記載され、その全体が参照により本明細書に組み込まれる。モーター２０４に電力を供給して、揺動板アクチュエータ駆動機構３０１を回転させる。偏心揺動板アクチュエータ駆動機構３０１の回転は、発泡ポンプ２０６の隔壁を順次圧縮させ、膨張させ、液体及び空気を混合室３２５内に圧送する。液体及び空気は共に混ぜ合わさって泡混合物を生成する。泡混合物は、発泡カートリッジ２１０を経て押し出され、これにより発泡体が濃縮発泡体になる。濃縮発泡体は、発泡体分注器２００からノズル２１２を通して分注される。
【００１７】
図１及び図２に示す詰替ユニット１００及び発泡体分注器２００は、種々の異なる部品が多くの詰替ユニット１００及び発泡体分注器２００に使用されるので、それぞれ一般的に描かれている。発泡体ポンプ２０６は、先に一般的に示されているが、以下に詳細に説明する。本発明に従って使用できるいくつかの典型的な分注器部品は、「単電池操作及び予備電池を備える非接触式分注器」と題する米国出願第８，９６０，４９８号、「偏芯逆転した発泡体分注器及び詰替ユニット」と題する米国特許第２０１４／００５４３．２２号、及び「電源を含む非接触式分注器及び詰替ユニットのための電源システム」と題する米国出願第２０１４／０２３４１４０号に提示かつ記載され、その全体が参照により本明細書に組み込まれる。
【００１８】
図３は、発泡体ポンプ２０６の典型的な態様の分解図である。発泡体ポンプ２０６は、モーター２０４によって駆動される。発泡体ポンプ２０６は、ポンプ基部３２４、揺動板３１４、隔壁組立体座３１２、隔壁組立体３１０、弁座３０８、出口弁３２３Ａ、３２３Ｂ、３２３Ｃ、ねじ３０２、及びカバー３４８を含む。弁座３０８、隔壁組立体座３１２、及びポンプ基部３２４は、ネジ穴３０８Ａ、３１２Ａ、３２４Ａ内のねじ３０２によって共に固定される。カバー３４８は、弁座３０８に取り付けられている。出口弁３２３Ａ、３２３Ｂ、３２３Ｃは、弁座３０８に固定しかつ据え付ける。
【００１９】
隔壁組立体３１０は、３つのポンプ隔壁３１０Ａ、３１０Ｂ、３１０Ｃを含み、各ポンプ隔壁３１０Ａ、３１０Ｂ、３１０Ｃは、コネクタ３１１Ａ、３１１Ｂ、３１１Ｃを有する。隔壁組立体３１０は、隔壁組立体座３１２に配置される。ポンプ隔壁３１０Ａ、３１０Ｂ、３１０Ｃは、隔壁組立体座３１２の受け穴３１３Ａ、３１３Ｂ、３１３Ｃに配置され、３つのコネクタ３１１Ａ、３１１Ｂ、３１１Ｃは、３つの揺動板リンク３１４Ａ、３１４Ｂ、３１４Ｃ内に３つのコネクタ３１１Ａ、３１１Ｂ、３１１Ｃを挿入することによって揺動板３１４に連結する。
【００２０】
空気は、ポンプ空気入口４２４Ｂ（図４）を通して発泡ポンプ２０６に入り、例えば発泡性石鹸又は殺菌剤などの液体は、液体入口３５２を通って発泡ポンプ２０６に入る。２つのポンプ隔壁３１０Ｂ、３１０Ｃは空気を受け入れ、残りのポンプ隔壁３１０Ａは、例えば石鹸や消毒剤などの発泡性液体を受け入れる。
【００２１】
図４は、異なる方向から見た典型的な発泡ポンプ２０６の別の分解図である。上述のように、隔壁組立体３１０は、３つのポンプ隔壁３１０Ａ、３１０Ｂ、３１０Ｃを含む。各ポンプ隔壁３１０Ａ、３１０Ｂ、３１０Ｃは、対応する入口弁３１６Ａ、３１６Ｂ、３１６Ｃ（図５及び図６に良く見える）を有する。図４はまた、弁座３０８の底面図を示す。弁座３０８の底部は、３つのポンプ隔壁３１０Ａ、３１０Ｂ、３１０Ｃに対応する３つの領域を有する。各領域は、弁座３０８を通して延びる３つの流体出口孔３０９Ａ、３０９Ｂ、３０９Ｃ、弁棒保持孔３２９Ａ、３２９Ｂ、３２９Ｃ（図７）、及び流体入口溝３１９Ａ、３１９Ｂ、３１９Ｃを有する。流体入口溝３１９Ａ、３１９Ｂ、３１９Ｃは、弁座３０８を通して延びていない。
【００２２】
図５及び図６は、発泡ポンプ２０６の典型的な隔壁組立体３１０のそれぞれ平面図及び底面図を示す。いくつかの態様において、隔壁組立体は、天然ゴム、ＥＰＤＭ、シリコーン、シリコーンゴム、ＴＰＥ、ＴＰＵ、ＴＰＶ、ビニールなどからなる。隔壁組立体３１０は、３つの成形ポンプ隔壁３１０Ａ、３１０Ｂ、３１０Ｃ、及び３つの対応する入口弁３１６Ａ、３１６Ｂ、３１６Ｃを含む。隔壁組立体３１０の上部は、密封ガスケットとして機能する。隔壁組立体３１０の上部は、平坦部分３１０Ｆを有し、各ポンプ隔壁３１０Ａ、３１０Ｂ、３１０Ｃは、それぞれの弁３１６Ａ、３１６Ｂ、３１６Ｃ及びポンプ隔壁３１０Ａ、３１０Ｂ、３１０Ｃを包囲するガスケット壁３２７Ａ、３２７Ｂ、３２７Ｃを有する。ガスケット壁３２７Ａ、３２７Ｂ、３２７Ｃは、空気及び液体石鹸又は消毒剤などの流体が発泡ポンプ２０６からポンプ出口３５０（図３）以外の位置で漏れるのを防止するように、弁座３０８（図４及び図８）の底部に対して密封する。ポンプ隔壁３１０Ａ、３１０Ｂ、３１０Ｃが陰圧を有するときに（すなわち、ポンプ隔壁３１０Ａ、３１０Ｂ、３１０Ｃが膨張するときに）、一方向入口弁３１６Ａ、３１６Ｂ、３１６Ｃにより空気、液体石鹸又は消毒剤がポンプ隔壁３１０Ａ、３１０Ｂ、３１０Ｃに入り、ポンプ隔壁３１０Ａ、３１０Ｂ、３１０Ｃが陽圧を有するときに（例えば、ポンプ隔壁３１０Ａ、３１０Ｂ、３１０Ｃが圧縮されるときに）、一方向入口弁３１６Ａ、３１６Ｂ、３１６Ｃは入口孔３２１Ａ、３２１Ｂ、３２１Ｃを密封する。一方向入口弁３１６Ａ、３１６Ｂ、３１６Ｃは、柔軟性タブで形成され、かつ隔壁組立体３１０と同一の材料でできている。
【００２３】
図７は、発泡ポンプ２０６の典型的な弁座３０８の平面図である。一方向液体出口弁３２３Ａは、液体出口孔３０９Ａから混合室３２５内への液体３３１Ａの流れをより明確に表示するように透明にして示される。一方向液体出口弁３２３Ａは、孔３２９Ａ内に挿入されて一方向液体出口弁３２３Ａを弁座３０８に固定する弁棒３５７Ａ（図３）を含む。一方向液体出口弁３２３Ａは、通常閉鎖され、かつ空気又は液体が混合室３２５から空気出口孔３０９Ａを通って液体ポンプ隔壁３１０Ａ内に逆流することを防止する。一方向液体出口弁３２３は、液体ポンプ隔壁３１０Ａが圧縮されて流体を圧送するときに開く。
【００２４】
同様に、一方向空気出口弁３２３Ｂ、３２３Ｃは、空気出口孔３０９Ｂ、３０９Ｃから混合室３２５内への空気３３１Ｂ、３３１Ｃの流れをより明確に表示するように透明にして示される。一方向空気出口弁３２３Ｂ、３２３Ｃのそれぞれは、対応する孔３２９Ｂ、３２９Ｃ内に挿入されて、一方向空気出口弁を弁座３０８に固定する弁棒３５７Ｂ、３５７Ｃ（図３）を含む。一方向空気出口弁３２３Ｂ、３２３Ｃは通常閉鎖され、空気又は液体が混合室３２５から空気出口孔３２３Ｂ、３２３Ｃを経て空気ポンプ隔壁３１０Ｂ、３１０Ｃ内に逆流することを防止する。一方向空気出口弁３２３Ｂ、３２３Ｃは、対応する空気ポンプ隔壁３１０Ｂ、３１０Ｃが圧縮されて空気を圧送するときに開く。
【００２５】
弁座３０８はまた、流れ方向制御壁３０８Ｅを含む。流れ方向制御壁３０８Ｅは、液体と空気の混合を助ける流路を備える。この態様において、流れ方向制御壁３０８Ｅは、湾曲しかつ液体と空気を接線方向で交差させる。いくつかの態様において、流れ方向制御壁３０８Ｅは、例えば各流路が１２０°の角度で交差するように、液体に空気を所望の角度で交差させるように設計し、配置する。いくつかの態様において、流れ方向制御壁３０８Ｅは、２つの空気流路が約１８０°で液体流路と交差するように配置する。流路交差の設計は、異なる種類の液体に対して異なってもよく、例えば、液体石鹸を２つの空気流路により正面から（１８０°）交差させることによって高品質の発泡体を得ることができ、一方で、空気経路を液体経路と接線方向に交差させることにより、発泡性消毒剤のための高品質の発泡体を得ることができる。
【００２６】
図８は、発泡ポンプ２０６用の典型的な弁座３０８の底面図である。弁座３０８は、弁座３０８を通過する３つの液体出口孔３０９Ａ、及び一方向液体出口弁３２３Ａを保持する液体出口弁孔３２９Ａを含む。弁座３０８はまた、弁座３０８内に部分的に延びる液体入口溝３１９Ａを含み、一方向液体入口弁３１６Ａから液体ポンプ隔壁３１０Ａの内部への液体経路を提供する。さらに弁座３０８は、弁座３０８を通過する第１組の３つの空気出口孔３０９Ｂ、及び弁座３０８を通過する第２組の３つの空気出口孔３０９Ｃを含む。また、弁座３０８は弁座３０８内に部分的に延びる空気入口溝３１９Ｂ、３１９Ｃを含み、一方向空気出口弁３２３Ｂ、３２３Ｃを保持する空気出口孔３２９Ｂ、３２９Ｃ及び一方向空気入口弁３１６Ｂ、３１６Ｃから空気ポンプ隔壁３１０Ｂ、３１０Ｃの内部への空気経路を提供する。
【００２７】
図９は、典型的な態様の発泡ポンプ２０６のための典型的な隔壁組立体座３１２の平面図である。隔壁組立体座３１２は、３つの受け穴３１３Ａ、３１３Ｂ、３１３Ｃ、及び３つの入口孔３２１Ａ、３２１Ｂ、３２１Ｃを含む。容器１０２の液体出口に結合することができる流体入口３５２は、入口孔３２１Ａと流体連通している。各受け穴３１３Ａ、３１３Ｂ、３１３Ｃは、隔壁３１０Ａ、３１０Ｂ、３１０Ｃを受け入れる大きさである。各入口孔３２１Ａ、３２１Ｂ、３２１Ｃは、隔壁組立体座３１２を通って延び、空気、液体石鹸、又は消毒剤のいずれかが隔壁３１０Ａ、３１０Ｂ、３１０Ｃのうちの１つに入ることができる。
【００２８】
いくつかの態様において、泡混合物は約７：１〜約１０：１の空気：液体比を有する。いくつかの態様において、空気：液体比は１０：１より大きく、いくつかの態様において、７：１より小さい。
【００２９】
いくつかの典型的な態様において、発泡性液体の容器１０２とポンプ２０６との間に流量制御弁（図示せず）を配置する。流量制御弁を使用して液体：空気比を調節できる。より高い液体：空気比が望まれる場合には、流量制御弁は、液体ポンプ隔壁３１０Ａで液体を不足させるより低い流量に設定される。逆に、液体：空気比を増加させるためには、流量制御弁をより大きく開けて、より多くの液体をポンプ２０６に流してもよい。いくつかの態様において、液体ポンプ隔壁３１０Ａは、空気ポンプ隔壁３１０Ｂ、３１０Ｃと異なる容積を有して、液体：空気比を調整できる。いくつかの態様において、液体ポンプ隔壁３１０Ａ内にスポンジ（図示せず）を挿入して、液体ポンプ隔壁３１０Ａの容積を低減する。スポンジ（図示せず）は容積を低減するだけでなく、いくつかの態様において、スポンジは液体ポンプ隔壁３１０Ａを通る液体の流れを遅くする。いくつかの態様において、液体の入口よりも小さい直径を有する小孔を含む絞り弁を、流体の流れを制限するために使用してもよい。
【００３０】
図１０Ａは、図５〜９のＡ−Ａ線に沿った断面図であり、発泡ポンプ２０６の液体ポンプ部分を示している。作動時に、参照番号３５０Ｂに示されるように、液体ポンプ隔壁３１０Ａは下方に移動してポンプ室１００２を拡張し、それにより液体入口弁３１６Ａが開き、液体入口３５２、入口孔３２１Ａ、及び液体入口溝３１９Ａを経てポンプ室１００２に液体の引き込みが可能となる。ポンプ室１００２が膨張すると、ポンプ室１００２は、例えば液体石鹸又は消毒剤のような液体で充填される。液体ポンプ隔壁３１０Ａが圧縮される（すなわち、液体ポンプ隔壁３１０Ａは、参照番号３５０Ａによって示す方向に移動する）と、液体は参照番号３４０Ａによって示された方向に圧送される。液体は、液体出口孔３０９Ａを通って一方向液体出口弁３２３Ａを通過して混合室３２５内に移動する。一方向液体出口弁３２３Ａは通常閉じているが、一方向液体出口弁３２３Ａは、液体ポンプ室１００２の圧縮により生じる圧力により開く。一方向液体出口弁３２３Ａは、空気又は液体が液体出口孔３０９Ａ経由で液体ポンプ隔壁３１０Ａ内への逆流を防止する。続いて、液体ポンプ隔壁３１０Ａは膨張し始めて、液体入口弁３１６Ａを開き、液体が液体入口孔３２１Ａ及び液体入口溝３１９Ａを経て液体ポンプ室１００２内に引き込まれる工程を再び開始する。発泡ポンプ２０６の動作サイクルは、液体ポンプ隔壁３１０Ａから液体出口孔３０９Ａを経て液体出口弁３２３Ａを通過し、混合室３２５（図７）内に１回の液体を送り込む動作を含む（下記に説明するように、２回の空気を送り込む動作が続く）。
【００３１】
図１０Ｂ及び図１０Ｃは、それぞれ図５〜９のＢ−Ｂ線及びＣ−Ｃ線に沿った断面図であり、発泡ポンプ２０６の空気ポンプ部分を示している。動作時には、空気ポンプ隔壁３１０Ｂ、３１０Ｃは、参照番号３５０Ｂに示すように、下方に移動して空気ポンプ室１００４，１００６を膨張させて、それにより空気入口弁３１６Ｂ、３１６Ｃを開き、空気入口孔３２１Ｂ、３２１Ｃ及び空気入口溝３１９Ｂ、３１９Ｃを経てポンプ室１００４，１００６内に空気の引き込みが可能になる。ポンプ室１００４，１００６が空気で充填されると、空気ポンプ隔壁３１０Ｂ、３１０Ｃは圧縮される（参照番号３５０Ａによって示す方向に移動する）。空気ポンプ隔壁３１０Ｂ、３１０Ｃの圧縮は、参照番号３４０Ａによって示す方向に空気を圧送する。空気は、空気出口孔３０９Ｂ、３０９Ｃを通って、一方向空気出口弁３２３Ｂ、３２３Ｃを通過して混合室３２５内に移動して、発泡性液体と混ぜ合わされる。一方向空気出口弁３２３Ｂ、３２３Ｃは、通常閉じているが、一方向空気出口弁３２３Ｂ、３２３Ｃは、空気ポンプ室１００４、１００６の圧縮により生じる圧力により開く。一方向空気出口弁３２３Ｂ、３２３Ｃは、空気又は液体が空気出口孔３０９Ｂ、３０９Ｃを経て空気ポンプ隔壁３１０Ｂ、３１０Ｃ内への逆流を防止する。その後、空気ポンプ隔壁３１０Ｂ、３１０Ｃは膨張し始めて、空気入口弁３１６Ｂ、３１６Ｃを開くことにより、空気入口孔３２１Ｂ、３２１Ｃ及び空気入口溝３１９Ｂ、３１９Ｃを経て空気ポンプ室１００４，１００６内に空気を引き込む工程を再開する。発泡ポンプ２０６の動作サイクルは、（上述のような）１回の液体を送り込む動作を含み、続いて空気ポンプ隔壁３１０Ｂから空気ポンプ孔３０９Ｂを経て空気出口弁３２３Ｂを通過し、混合室３２５（図７）内へ１回の空気を送り込む動作を含む。さらに、発泡ポンプ２０６の動作サイクルは、空気ポンプ隔壁３１０Ｃから空気出口孔３０９Ｃを経て空気出口弁３２３Ｃを通過し、混合室３２５（図７）内に１回の空気を送り込む動作を含む。
【００３２】
隔壁３１０Ａ、３１０Ｂ、３１０Ｃは順次作動し、一連の動作は、３つのポンプ隔壁３１０Ａ、３１０Ｂ、３１０Ｃのそれぞれにより、例えば石鹸又は消毒剤のような液体を１回送り込む作業を含む。ポンプ隔壁３１０Ａ、３１０Ｂ、３１０Ｃの作動順序は、揺動板３１４（図３）の構成に依存する。図３に示すように、各ポンプ隔壁３１０Ａ、３１０Ｂ、３１０Ｃは、コネクタ３１１Ａ、３１１Ｂ、３１１Ｃを有し、３つのポンプ隔壁３１０Ａ、３１０Ｂ、３１０Ｃは、３つの揺動板リンク３１４Ａ、３１４Ｂ、３１４Ｃ内に３つのコネクタ３１１Ａ、３１１Ｂ、３１１Ｃを挿入して、揺動板３１４に連結する。揺動板３１４は、揺動板３１４を波打たせる偏心揺動板アクチュエータに連結する。揺動板３１４が波打つと、揺動板リンク３１４Ａ、３１４Ｂ、３１４Ｃが上下に移動する。上向きの移動は、ポンプ隔壁３１０Ａ、３１０Ｂ、３１０Ｃを圧縮させ、下向きの移動は、ポンプ隔壁３１０Ａ、３１０Ｂ、３１０Ｃを膨張させる。揺動板３１４の構成は、一度に１つのポンプ隔壁３１０Ａ、３１０Ｂ、３１０Ｃを圧縮させ、それによりポンプ隔壁３１０Ａ、３１０Ｂ、３１０Ｃに順次圧送させる。揺動板３１４の構成はまた、一度に１つのポンプ隔壁３１０Ａ、３１０Ｂ、３１０Ｃを膨張させ、それによりポンプ隔壁３１０Ａ、３１０Ｂ、３１０Ｃに順次充填させる。典型的な一連の動作において、液体ポンプ隔壁３１０Ａは、１ショットの液体を圧送し、続いて空気ポンプ隔壁３１０Ｂが１ショットの空気を圧送し、一連の動作は、空気ポンプ隔壁３１０Ｃが第２ショットの空気を圧送して終了する。発泡体の所望の必要用量に応じて、この一連の動作を任意の回数だけ繰り返してもよい。空気ポンプ隔壁３１０Ｂ、３１０Ｃからの空気は、混合室３２５（図７）内の液体ポンプ隔壁３１０Ａからの液体又は消毒剤のいずれかと混ぜ合わさって、それにより泡混合物を生成する。泡混合物は、ポンプ出口３５０を経て発泡ポンプ２０６を出る。
【００３３】
図４は、液体石鹸又は消毒剤の流路を分解図により示す。液体ポンプ隔壁３１０Ａが膨張すると、液体は、参照番号３３０Ａで示す液体入口３５２を経て発泡ポンプ２０６に入る。液体は、参照番号３３０Ｂで示すように、隔壁組立体座３１２内の孔３２１Ａを経て、液体の一方向入口弁３１６Ａを通過して移動する。参照符号３３０Ｄ及び３３０Ｅで示すように、入口弁３１６Ａが開き、液体は溝３１９Ａを通って液体ポンプ隔壁３１０Ａ内に移動する。
【００３４】
液体ポンプ隔壁３１０Ａは、参照番号３４０Ａで示すように、液体を圧縮して、液体出口孔３０９Ａを通り一方向液体出口弁３２３Ａを通過して、混合室３２５（図７）内に液体を圧送する。空気は、空気ポンプ隔壁３１０Ｂ、３１０Ｃで同様の流路をたどる。空気ポンプ隔壁３１０Ｂ、３１０Ｃが膨張すると、空気は空気入口４２４Ｂに引き込まれ、隔壁組立体座３１２内の孔３２１Ｂ、３２１Ｃ（図９）を経て移動し、一方向空気入口弁３１６Ｂ、３１６Ｃ（図５及び６）を通って移動し、弁座３０８の底部の溝３１９Ｂ、３１９Ｃ内を移動し、空気ポンプ隔壁３１０Ｂ、３１０Ｃ内に移動する。空気ポンプ隔壁３１０Ｂ、３１０Ｃが圧縮すると、空気は、孔３０９Ｂ、３０９Ｃを経て一方向空気出口弁３２３Ｂ、３２３Ｃ（図７）を通過して、混合室３２５内に押し込まれ、そこで液体と混ぜ合って泡混合物を生成する。泡混合物は、参照番号３０４Ｂで示す出口３５０を経て分注される。
【００３５】
図１１は、順次作動式多隔壁型発泡ポンプ１１００の別の典型的な態様の断面図である。順次作動式多隔壁型発泡ポンプ１１００は、モーター１１１２、モーター軸１１１３、揺動板１１１０、揺動板ピン１１２７、偏心揺動板駆動装置１１２０、液体ポンプ隔壁１１０６、２つの空気ポンプ隔壁１１０８（１つのみ表示）、混合室１１３０、及びポンプ出口１１１４を含む。モーター１１１２は、モーター軸１１１３を駆動し、モーター軸１１１３を回転させる。モーター軸１１１３の回転により偏心揺動板駆動装置１１２０が回転し、偏心揺動板駆動装置１１２０の回転により揺動板ピン１１２７が円軌道に沿って移動し、それにより揺動板１１１０が波打つ。いくつかの態様において、揺動板１１１０は、ポンプ筐体上にソケット（図示せず）に乗るボール（図示せず）を含み、揺動板ピン１１２７は、外側に延び、偏心揺動板アクチュエータ１１２０に連結して、揺動板１１１０を波打たせるように円軌道に沿ってピンを移動させる。揺動板１１１０が波打つと、３つのポンプ隔壁１１０６、１１０８に接続された端部が上下に移動し、３つのポンプ隔壁１１０６，１１０８が順次圧縮される。混合ポンプ１１００の一連の動作は、３つのポンプ隔壁１１０６，１１０８のそれぞれによる１回の送り込み動作を含む。液体ポンプ隔壁１１０６は、作動サイクル中で最初に作動し、続いて２つの空気ポンプ隔壁１１０８が順次作動する。
【００３６】
上述の態様と同様に、動作中に、液体ポンプ隔壁１１０６は、膨張及び収縮して液体を圧送し、空気ポンプ隔壁１１０８（１つのみ表示）は、膨張及び収縮して空気を圧送する。液体ポンプ隔壁１１０６が膨張すると、液体入口弁１１０５を開き、例えば石鹸又は消毒剤などの液体が液体入口１１０２を通って液体ポンプ室１１２４に入ることができる。空気ポンプ隔壁１１０８が膨張すると、空気入口弁１１０７（１つのみ表示）が開き、空気が空気入口１１０４を通って空気ポンプ室１１２６（１つのみ表示）に入ることができる。揺動板ピン１１２７の円運動により、揺動板１１１０の端部は連続的に波打つ。波打ちにより液体ポンプ隔壁が圧縮され、液体出口弁１１１６が開き、液体が液体出口孔１１２２を通って混合室１１３０内に流れる。続いて、空気ポンプ隔壁１１０８のうちの一方が、波打つ揺動板１１１０により圧縮され、空気出口弁１１１８を開き、空気が空気出口孔１１２３を経て混合室１１３０に流れる。次に、他方の空気ポンプ隔壁（図示せず）が空気を圧縮して混合室１１３０内に圧送する。空気及び液体石鹸又は消毒剤は、混合室１１３０内で混ぜ合わさり泡混合物を生成する。泡混合物は、ポンプ出口１１１４を経て混合ポンプ１１００を出る。
【００３７】
図１２〜図１５は、詰替ユニット１２００の典型的な態様を示す。図１２は、順次作動式多隔壁型発泡ポンプ１２０６を有する詰替ユニット１２００の典型的な態様の透視図であり、図１３は、背面板１２１４を取り外した、複数の隔壁１５１０Ａ、１５１０Ｂ及び１５１０Ｃを示す典型的な詰替ユニット１２００の別の透視図である。図１３は、詰替ユニット１２００の背面立面図であり、図１５は、背面板１２１４を取り外した、複数の隔壁１５１０Ａ、１５１０Ｂ、１５１０Ｃを示す詰替ユニット１２００の背面立面図である。詰替ユニット１２００は、発泡体分注器１６００に接続する（図１６、１７）。詰替ユニット１２００は、容器１２０２、発泡ポンプ１２０６、作動機構１３０４（図１３）、発泡カートリッジ１２１０、及びノズル１２１２を含む。詰替ユニット１２００は、発泡性液体の補給を含む。様々な態様において、含有する発泡性液体は、例えば、石鹸、消毒剤、洗浄剤、殺菌剤、ローションなどである。容器１２０２は、折り畳み可能な容器であり、薄いプラスチック又は柔軟な袋状材料から作製できる。いくつかの態様において、容器１２０２は、硬質又は半硬質の筐体部材により形成される折り畳めない容器、又は漏れなしに発泡性液体を収容する他の任意の適切な構成体である。折り畳めない容器の場合に、例えば、上記に組み込まれた特許／出願の通気システムのうちの任意の通気システムを含んでもよい。
【００３８】
発泡ポンプ１２０６は、上述のポンプと類似であり、筐体１２０８、液体ポンプ隔壁１５１０Ａ（図１５）、空気ポンプ隔壁１５１０Ｂ、１５１０Ｃ、及び混合室（図示せず）を含む。液体ポンプ隔壁１５１０Ａ及び空気ポンプ隔壁１５１０Ｂ、１５１０Ｃは、筐体１２０８内に配置される。液体ポンプ隔壁１５１０Ａは、液体入口１５５２及び液体入口孔１５０９Ａを通して容器１２０２から液体を受け取り、液体ポンプ隔壁１５１０Ａは、混合室内に液体を圧送する。空気ポンプ隔壁１５１０Ｂ、１５０１Ｃは、少なくとも１つの空気入口（図示せず）及び空気入口孔１５０９Ｂ、１５０９Ｃを通して空気を受け入れ、空気ポンプ隔壁１５１０Ｂ、１５１０Ｃは、空気を混合室内に圧送する。液体ポンプ隔壁１５１０Ａ及び空気ポンプ隔壁１５１０Ｂは、作動機構１３０４（図１３）によって順次作動する。発泡ポンプ１２０６の作動サイクルは、液体ポンプ隔壁１５１０Ａから混合室３２５内への１回の液体を送り込む動作、及び空気ポンプ隔壁１５１０Ｂ、１５１０Ｃからの混合室への１回の空気の送り込む動作を含む。作動サイクルは、液体ポンプ隔壁１５１０Ａからの１ショットの液体で始まり、空気ポンプ隔壁１５１０Ｂからの１ショットの空気及び空気ポンプ隔壁１５１０Ｃからの１ショットの空気により続く。液体及び空気は、混合室（図示せず）内で混ぜ合わさり泡混合物を生成し、泡混合物は、発泡カートリッジ１２１０を通過し、出口１２１２を経て発泡ポンプ１２０６を出る。発泡体の分注は、典型的には１回以上の作動サイクル又は回転を必要とする。本発明のいくつかの態様において、泡混合物は、約７：１〜約１０：１の空気：液体比を有する。いくつかの態様において、空気：液体比は１０：１より大きく、いくつかの態様において、７：１より小さい。
【００３９】
いくつかの典型的な態様において、発泡性液体の容器１２０２とポンプ１２０６との間に流量制御弁（図示せず）を配置する。流量制御弁を使用して液体：空気比を調節できる。より高い液体：空気比が望まれる場合は、流量制御弁は、液体ポンプ隔壁１５１０Ａで液体を不足させるより低い流量比に設定される。逆に、液体：空気比を増加するには、より多くの液体をポンプ１２０６に流せるように、流量制御弁をより広く開いてもよい。いくつかの態様において、液体ポンプ隔壁１５１０Ａは、空気ポンプ隔壁１５１０Ｂ、１５１０Ｃと異なる容積を有して、液体：空気比を調節してもよい。いくつかの態様において、液体ポンプ隔壁１５１０Ａ内にスポンジ（図示せず）を挿入して、液体ポンプ隔壁１５１０Ａの容積を減少させる。スポンジ（図示せず）は容積を減少させるだけでなく、いくつかの態様において、スポンジは、液体ポンプ隔壁１５１０Ａを通る液体の流れを遅くする。
【００４０】
発泡ポンプ１２０６は、本明細書に記載のいずれかの態様のいくつか、又はすべてを含んでもよい。さらに、発泡ポンプ１２０６は、２つ以上の液体ポンプ隔壁及び１つ以上の空気ポンプ隔壁を有してもよい。
【００４１】
作動機構１３０４（図１３）は、発泡体分注器１６００に恒久的に取り付けられたモーター１７０６（図１７）の駆動システムに取り外し可能に接続する。作動機構１３０４は、背面板１２１４によって覆われる。
【００４２】
いくつかの態様において、作動機構１３０４は、揺動板１４０５を含まないが、円板（図示せず）及び１つ以上のばね（図示せず）を含んでもよい。円板は、液体ポンプ隔壁１５１０Ａ及び空気ポンプ隔壁１５１０Ｂ、１５１０Ｃに接続されている。１つ以上のばねは円板を外側方向に付勢し、それにより液体ポンプ隔壁１５１０Ａ及び空気ポンプ隔壁１５１０Ｂ、１５１０Ｃをそれらの伸長位置に対し付勢する。分注器上の駆動システム（図示せず）は、円板の外周の周りを移動する車輪を含む。車輪と円板との接触点は、円板のその部分を下方に押す。車輪がその外周の周りを回転すると、車輪は、液体ポンプ隔壁１５１０Ａ及び空気ポンプ隔壁１５１０Ｂ、１５１０Ｃを順次圧縮する。車輪が隔壁１５１０Ａ、１５１０Ｂ、１５１０Ｃを通過して移動すると、隔壁１５１０Ａ、１５１０Ｂ、１５１０Ｃは、隔壁材料ならびに１つ以上のばねにより拡張位置に向かって付勢されているので、流体状で引き込むように膨張する。いくつかの態様において、ばねは不要であり、隔壁材料だけで、隔壁１５１０Ａ、１５１０Ｂ、１５１０Ｃをそれらの拡張位置に対し付勢するのに十分である。
【００４３】
上述した態様は単なる例示であり、作動機構１３０４は、発泡ポンプ１２０６の液体ポンプ隔壁１５１０Ａ及び空気ポンプ隔壁１５１０Ｂ、１５１０Ｃを順次作動させるようになっていてもよい。
【００４４】
図１３は、背面板と共に図１２の順次作動式多隔壁型発泡ポンプ１２０６を有する詰替ユニット１２００の典型的な態様の背面図１２１４である。背面板１２１４は孔１３０１を有する。詰替ユニット１２００は、取付け機構１３０４を背面板１２１４の孔１３０１を介してモーター１７０６の駆動システムに接続して発泡体分注器１６００（図１６）に付属する。
【００４５】
図１４及び図１５は、背面板１２１４が取り外された順次作動式多隔壁型発泡ポンプ１２０６を有する詰替ユニット１２００の典型的な態様の図である。作動機構１３０４は、揺動板１４０５、揺動板連結リンク１４０７、及びピン１４０９を含む。各揺動板リンク１４０７は、ポンプ隔壁１５１０Ａ、１５１０Ｂ、１５１０Ｃに接続する。この典型的な態様において、作動機構１３０４のピン１４０９は、作動機構１３０４をモーター１７０６の偏心駆動システム１７０７（図１７及び１８）に取り外し可能に接続する。図１７及び図１８を参照すると、詰替ユニット１２００のポンプ１２０６の一部分は、発泡体分注器１６００のソケット１７０１内に受け入れられ、作動機構１３０４は、偏心駆動システム１７０７に取り外し可能に接続される。偏心駆動システム１７０７は、モーター１７０６の軸１８０９に取り付けられる。作動機構１３０４のピン１４０９は、偏心駆動システム１７０７に取り外し可能に係合し、ピン１４０９はノッチ１８１１に係合する。いくつかの態様において、偏心駆動システム１７０７は、作動機構１３０４に接続され、詰替ユニット１２００の部分であり、かつモーター１７０６の軸１８０９に取り外し可能に接続する。前記の態様は単なる例示である。詰替ユニット１２００及びモーター１７０６は、詰替ユニット１２００がモーター１７０６に取り外し可能に取り付けでき、モーター１７０６が発泡ポンプ１２０６を作動できるようになっていてもよい。
【００４６】
図１４及び図１５を参照すると、偏心駆動系１７０７（図１７及び１８）は、揺動板１４０５を波打たせ、液体ポンプ隔壁１５１０Ａ及び空気ポンプ隔壁１５１０Ｂ、１５１０Ｃを順次作動させる。液体ポンプ隔壁１５１０Ａが膨張すると、液体は、容器１２０２から液体入口１５５２及び液体入口孔１５０９Ａを通って、液体ポンプ隔壁１５１０Ａ内に移動する。液体ポンプ隔壁１５１０Ａは、液体で満たされるときに充填位置にある。空気ポンプ隔壁１５１０Ｂ、１５１０Ｃが膨張すると、空気は、少なくとも１つの空気入口（図示せず）を経て空気入口孔１５０９Ｂ、１５０９Ｃを通って、それぞれの空気ポンプ隔壁１５１０Ｂ、１５１０Ｃ内に移動する。空気ポンプ隔壁１５１０Ｂ、１５１０Ｃは、空気で満たされるときに充填位置にある。典型的な作動サイクルは、液体ポンプ隔壁１５１０Ａからの１回の液体の送り込む動作を含み、続いて空気ポンプ隔壁１５１０Ｂからの１回の空気の送り込む動作を含み、続いて空気ポンプ隔壁１５１０Ｃからの１回の空気の送り込む動作を含む。
【００４７】
いくつかの態様において、各ポンプ隔壁１５１０Ａ、１５１０Ｂ、１５１０Ｃは、約０．１〜１．０ｍＬの容積を有する。ポンプ隔壁１５１０Ａ、１５１０Ｂ、１５１０Ｃは、液体及び空気を混合室（図示せず）内に圧送し、液体及び空気は混ぜ合わさって泡混合物を生成する。泡混合物は、発泡カートリッジ１２１０を通過して濃縮発泡体を生成し、濃縮発泡体は、ノズル１２１２を経て詰替ユニット１２００を出る。いくつかの態様において、液体ポンプ隔壁１５１０Ａは、約０．１〜１．０ｍＬの容積を有する。
【００４８】
いくつかの態様において、発泡体分注器により分注される発泡体の用量は、約０．３ｍＬ〜約７．０ｍＬの液体を含む。いくつかの態様において、発泡体の用量は、１回の分注当たり約３〜７回転を含み、約５〜１０回転を含む、約３〜１０回転を含む。いくつかの態様において、発泡体の用量は、高濃度の軽質石≡では約０．３ｍＬである。いくつかの態様において、発泡体の用量は、グリース洗浄石鹸のような重質石鹸では約７．０ｍＬの液体である。
【００４９】
いくつかの態様において、分注器は、約３Ｖ〜約５Ｖを含み、約４Ｖ〜約６Ｖを含み、約４Ｖ〜約８Ｖを含み、約６Ｖ〜約９．５Ｖを含む、約３Ｖ〜約１０Ｖの電圧で作動する。
【００５０】
いくつかの態様において、ポンプは、約０．５秒〜１．５秒を含み、約０．５秒〜１秒を含む、約０．３秒〜２秒の間発泡体の用量の分注を連続する。いくつかの態様において、例えば、約１．２ｍＬの液体を有する泡消毒剤を分注し、分注時間は約０．６秒である。いくつかの態様において、例えば、約０．３ｍＬ〜約７．０ｍＬの液体を有する軽質石鹸および重質石鹸で、分注時間は約１．５０秒未満内である。
【００５１】
いくつかの態様において、揺動板駆動アクチュエータは、毎分約１２０〜約４８０回転で回転する。
【００５２】
いくつかの態様において、例えば２つの液体ポンプ隔壁、３つの液体ポンプ隔壁、４つの液体ポンプ隔壁などの複数の液体ポンプ隔壁がある。いくつかの態様において、例えば２つの空気ポンプ隔壁、３つの空気ポンプ隔壁、４つの空気ポンプ隔壁、５つの空気ポンプ隔壁、６つの空気ポンプ隔壁、７つの空気ポンプ隔壁、８つの空気ポンプ隔壁などの複数の空気ポンプ隔壁がある。いくつかの態様において、空気ポンプ隔壁の液体ポンプ隔壁に対する数は、１：１、２：１、３：１、４：１、５：１、６：１、７：１、及び８：１である。
【００５３】
図１９Ａ〜１９Ｂ、２０Ａ〜２０Ｂ、及び２１Ａ〜２１Ｅは、順次作動式多隔壁型発泡ポンプ１９００の別の典型的な態様の種々の図である。発泡ポンプ１９００は、発泡カートリッジ筐体１９０２及び容器受入部１９０４に接続され、発泡カートリッジ筐体１９０２は、ノズル１９０６に接続される。発泡ポンプ１９００は、筐体１９０８、隔壁組立体１９１０、ポンプ出口１９１２、及びポンプカバー１９１４を含む。隔壁組立体１９１０は、３つのポンプ隔壁１９１６ａ、１９１６ｂ、１９１６ｃを含む。３つのポンプ隔壁１９１６ａ、１９１６ｂ、１９１６ｃは、１つの液体ポンプ隔壁１９１６ａおよび２つの空気ポンプ隔壁１９１６ｂ、１９１６ｃを含む。隔壁組立体１９１０は単なる例示であり、隔壁組立体１９１０は、３つより多くのポンプ隔壁を含んでもよい。さらに、隔壁組立体は、１つ以上の液体ポンプ隔壁及び／又は１つ以上の空気ポンプ隔壁を含んでもよい。
【００５４】
容器（図示せず）は、液体が液体入口１９１８に入れるように閉止部１９０４を備える容器に接続する。作動中、液体ポンプ隔壁１９１６ａが膨張すると、液体は、液体流路１９２０を経て液体入口弁１９２２ａを通過して、液体ポンプ隔壁１９１６ａ内に引き込まれる。同様に、空気ポンプ隔壁１９１６ｂ、１９１６ｃが膨張すると、空気は、孔を通り空気入口弁１９２２ｂ、１９１６ｃを通過して、空気ポンプ隔壁１９１６ｂ、１９１６ｃ内にそれぞれ引き込まれる。液体ポンプ隔壁１９１６ａが圧縮すると、液体は、液体ポンプ隔壁１９１６ａから押し出され、部材の固有の弾力性により通常は閉じている液体出口弁１９２３の壁が側壁１９２７から離れるように歪曲して、液体は混合室２１３２内に流れる（図２１Ｅ）。同様に、空気ポンプ隔壁が圧縮すると、空気は、空気ポンプ隔壁１９１６ｂ、１９１６ｃから押し出され、液体出口弁１９２３の壁が側壁１９２７から離れるように歪曲して、空気は混合室２１３２内に流れる。液体又は空気からの圧力が除去されると、例えば液体ポンプ隔壁１９１６ａ又は空気ポンプ隔壁１９１６ｂ、１９１６ｃが膨張すると、液体出口弁１９２３は、側壁１９２７に対して密封し、出口ノズル１９０６から隔壁１９１６ａ、１９１６ｂ、１９１６ｃを封鎖する。
【００５５】
液体および空気が混合室内２１３２で混ぜ合わさって泡混合物を生成し、泡混合物は、ポンプ出口１９１２を出る。泡混合物がポンプ出口１９１２を出た後に、泡混合物は、発泡カートリッジ１９２４を通って移動する。この特定の態様において、発泡カートリッジ１９２４は、網１９２６ａ、１９２６ｂ及びスポンジ１９２８を含む。発泡カートリッジ１９２４は様々な部材を含み、例えば、発泡カートリッジ１９２４部材は、１つ以上の網１９２６及び／又は１つ以上のスポンジ１９２８を含んでもよい。発泡体は、発泡カートリッジ１９２４を出て、濃縮発泡体として出口ノズル１９０６から分注される。
【００５６】
ポンプ隔壁１９１６ａ、１９１６ｂ、１９１６ｃは順次作動し、ポンプ隔壁１９１６ａ、１９１６ｂ、１９１６ｃの動作は、本明細書に記載の発泡ポンプの様々な態様に説明したような任意の形態を用いることができる。一態様において、液体ポンプ隔壁１９１６ａは、作動サイクル中の最初に作動し、続いて２つの空気ポンプ隔壁１９１６ｂ、１９１６ｃが順次作動する。
【００５７】
図２２は、順次作動式多隔壁型発泡ポンプ２２００の別の典型的な態様の断面図である。順次作動式多隔壁型発泡ポンプ２２００は、モーター軸２２１３を有するモーター２２１２によって駆動する。発泡ポンプ２２００は、揺動板２２１０、揺動板ピン２２２７、偏心揺動板駆動装置２２２０、１つの液体ポンプ隔壁２２０６、２つの空気ポンプ隔壁２２０８（１つのみ表示）と、混合室２２３０、液体入口２２０２、液体入口弁２２０５、空気ポンプ室２２２６、空気入口２２０４、空気入口弁２２０７、出口弁２２１６、混合室２２３０、及び出口２２１４を含む。
【００５８】
モーター２２１２はモーター軸２２１３を駆動し、それによりモーター軸２２１３が回転する。モーター軸２２１３の回転により、偏心揺動板駆動装置２２２０が回転し、偏心揺動板駆動装置２２２０の回転により、揺動板ピン２２２７が円軌道に沿って移動し、それにより揺動板２２１０が波打つ。いくつかの態様において、揺動板２２１０は、ポンプ筐体上のソケット（図示せず）に乗るボール（図示せず）を含み、揺動板ピン２２２７は外側に延び、偏心揺動板アクチュエータ２２２０に接続し、このアクチュエータはピンを円形の通路に沿って移動させ、それにより揺動板２２１０に波打ちを生じさせる。揺動板２２１０が波打つと、３つのポンプ隔壁２２０６、２２０８に接続する端部が上下に移動し、３つのポンプ隔壁２２０６、２２０８は、順次膨張し圧縮される。
【００５９】
液体ポンプ隔壁２２０６の膨張は、液体入口弁２２０５を開き、液体入口２２０２を通して液体ポンプ室２２２４内に、例えば石鹸又は消毒剤のような液体を引き込む。空気ポンプ隔壁２２０８（１つのみ表示）の膨張は、空気入口弁２２０７（１つのみ表示）を開き、空気入口２２０４（１つのみ表示）を通して空気ポンプ室２２２６内に空気を引き込む。液体ポンプ隔壁２２０６の圧縮は、液体ポンプ室２２２４を圧縮し、それにより出口弁２２１６を歪曲して開き、液体を混合室２２３０内に流す。空気ポンプ隔壁２２０８のうちの１つが圧縮すると、空気ポンプ室２２２６が圧縮し、それにより出口弁２２１６が側壁から離れるように歪曲して開き、空気が混合室２２３０に流れることができる。同様に、第２の空気ポンプ隔壁は、混合室内に空気を圧送する。空気及び液体石鹸又は消毒剤は、混合室２２３０内で混ぜ合わって泡混合物を生成する。泡混合物は、発泡カートリッジ２２３２を通って移動し、ポンプ出口２２１４を経て発泡ポンプ２２００を出る。
【００６０】
発泡ポンプ２２００の一連の動作は、３つのポンプ隔壁２２０６，２２０８のそれぞれによる１回の送り込む動作を含む。液体ポンプ隔壁２２０６は、作動サイクル中で最初に作動し、続いて２つの空気ポンプ隔壁２２０８が順次作動する。
【００６１】
図２３は、順次作動式多隔壁型発泡ポンプ２３００の別の典型的な態様の分解図である。発泡ポンプ２３００は、モーター２３０４によって駆動する。発泡ポンプ２３００は、ポンプ筐体２３２４、揺動板２３１４、隔壁組立体座２３１２、隔壁組立体２３１０、弁座２３０８、入口弁２３２３ａ、２３２３ｂ、２３２３ｃ、ガスケット２３０６、及びカバー２３４８を含む。カバー２３４８は、弁座２３０８に取り付けられ、ガスケット２３０６は、カバー２３４８間に配置され、ガスケット２３０６は、空気入口孔２３２５、液体入口２３５２、及び発泡体出口２３５０の周りを密封して流体漏れを防止する。入口弁２３２３ａ、２３２３ｂ、２３２３ｃを、弁座２３０８に固定し据え付ける。
【００６２】
隔壁組立体２３１０は、３つのポンプ隔壁２３１１ａ、２３１１ｂ、２３１１ｃを含み、各ポンプ隔壁２３１１ａ、２３１１ｂ、２３１１ｃは、コネクタ２３１５を有する。隔壁組立体２３１０は、隔壁組立体座２３１２内にある。ポンプ隔壁２３１１ａ、２３１１ｂ、２３１１ｃを、隔壁組立体座２３１２の受け穴２３１３ａ、２３１３ｂ、２３１３ｃ内にそれぞれ配置し、３つのコネクタ２３１５を３つのそれぞれの揺動板リンク２３１７内に挿入して、３つのコネクタ２３１５を揺動板２３１４に接続する。
【００６３】
弁座２３０８の底部は、３つのポンプ隔壁２３１１ａ、２３１１ｂ、２３１１ｃにそれぞれ対応する３つの円筒状突起部２３５１ａ、２３５１ｂ、２３５１ｃを有する。３つのポンプ隔壁２３１１ａ、２３１１ｂ、２３１１ｃは、３つの円筒状突起部２３５１ａ、２３５１ｂ、２３５１ｃにぴったりと適合し、一方向液体出口弁の機能を果たす。ポンプ隔壁２３１１ａ、２３１１ｂ、２３１１ｃが膨張して、ポンプ隔壁２３１１ａ、２３１１ｂ、２３１１ｃの内部が陰圧になると、ポンプ隔壁２３１１ａ、２３１１ｂ、２３１１ｃは、それぞれ円筒状の突起部２３５１ａ、２３５１ｂ、２３５１ｃの壁に対し密封して、ポンプ隔壁２３１１ａ、２３１１ｂ、２３１１ｃと円筒状突起部２３５１ａ、２３５１ｂ、２３５１ｃの壁との間からのポンプ隔壁２３１１ａ、２３１１ｂ、２３１１ｃ内への流体の流れを防止する。ポンプ隔壁２３１１ａ、２３１１ｂ、２３１１ｃが圧縮して、ポンプ隔壁２３１１ａ、２３１１ｂ、２３１１ｃの内部が陽圧になると、ポンプ隔壁２３１１ａ、２３１１ｂ、２３１１ｃは、それぞれ円筒突起部２３５１ａ、２３５１ｂ、２３５１ｃの壁から離れるように歪曲して、流体がポンプ隔壁２３１１ａ、２３１１ｂ、２３１１ｃから流れることができる。陽圧が停止するか、又はポンプ隔壁２３１１ａ、２３１１ｂ、２３１１ｃのクラッキング圧力未満になると、ポンプ隔壁２３１１ａ、２３１１ｂ、２３１１ｃは、それらの通常の位置に戻り、円筒状突起部２３５１ａ、２３５１ｂ、２３５１ｃの壁に対して密封する。さらに、各円筒状突起部２３５１ａ、２３５１ｂ、２３５１ｃは、弁座２３０８及びそれぞれの弁棒保持孔２３２９ａ、２３２９ｂ、２３２９ｃ内を延びる１つ以上の流体入口孔２３０９ａ、２３０９ｂ、２３０９ｃを有する。
【００６４】
上述の態様と同様に、動作中、液体ポンプ隔壁２３１１ａが膨張すると、減圧が発生し、液体は、液体入口２３５２を通って流体入口孔２３０９ａを通り、流体入口弁２３２３ａを通過して、液体ポンプ隔壁２３１１ａ内に引き込まれる。同様に、空気ポンプ隔壁２３１１ｂ、２３１１ｃが膨張すると、空気は、空気入口２３２５を通って空気入口孔２３０９ｂ、２３０９ｃを通り、流体入口弁２３２３ｂ、２３２３ｃを通過して、空気ポンプ隔壁２３１１ｂ、２３１１ｃ内に引き込まれる。
【００６５】
液体ポンプ隔壁２３１１ａが収縮して隔壁２１１１内に陽圧が発生し、陽圧が所定のクラッキング圧力に達すると、隔壁２３１１ａは、円筒壁２３５１ａから離れるように歪曲し、液体は混合室２３７２内に流れる。空気ポンプ隔壁２３１１ｂ、２３１１ｃが収縮して陽圧が発生し、陽圧が所定のクラッキング圧力に達すると、隔壁２３１１ｂ、２３１１ｃは、それぞれ円筒壁２３５１ｂ、２３５１ｃから離れるように歪曲し、空気が混合室２３７２内に流れる。空気と液体が共に混ぜ合わさって、出口２３５０から押し出される泡混合物を生成する。泡混合物は、そのまま分注してもよく、又は発泡カートリッジ、スポンジ、網、バッフルなど、及びそれらの組み合わせ（図示せず）を使用してさらに精製してもよい。
【００６６】
いくつかの態様において、液体ポンプ隔壁２３１１ａは、異なる空気：液体混合比を生成するように、引き込まれ膨張され得る液体の量を制限するスポンジ（図示せず）を含む。いくつかの態様において、流量制御弁（図示せず）が、液体入口２３５２に取り付けられ、液体の流れを制御して空気：液体比を調節することができる。
【００６７】
ポンプ隔壁２３１１ａ、２３１１ｂ、２３１１ｃは、揺動板２３１４の動きによって膨張及び圧縮される。モーター２３０４の軸２３０３は、偏心揺動板駆動装置２３２６に接続する。揺動板ピン２３２７は、モーター軸２３０３の中心線からずれる領域で、偏心揺動板駆動装置２３２６に接続する。揺動板ピン２３２７がモーター軸からずれることは、揺動板ピン２３２７を円運動させ、それにより揺動板２３１４の端部が順次波打つようになる。波打ちは、ポンプ隔壁２３１１ａ、２３１１ｂ、２３１１ｃを順次圧縮し膨張させ、液体と空気を圧送する。
【００６８】
図２４および２５は、順次作動式多隔壁型発泡ポンプ２４００の別の典型的な態様を示す。発泡ポンプ２４００は、ポンプ筐体２４０２、液体入口弁２５２８、３つの空気入口弁２５３８（１つのみ表示）、揺動板２５０４、１つの液体ポンプ隔壁２５０６、３つの空気ポンプ隔壁２５０８（１つのみ表示）、混合室２５１０、及び発泡ポンプ出口２４１２を含む。発泡ポンプ２４００は、発泡カートリッジ２５１６を収容する発泡カートリッジ筐体２５１４に連結され、流体連通している。発泡カートリッジ２５１６は、出口ノズル２５１８と流体連通している。発泡ポンプ２４００はまた、発泡性液体を保持する容器（図示せず）と流体連通する液体入口２４２０を含む。液体入口２４２０は、発泡性液体が液体ポンプ隔壁２５０６内に導かれるように、発泡ポンプ２４００に結合する。
【００６９】
図２４は、発泡ポンプ２４００の透視図であり、液体ポンプ隔壁２５０６の上流にある液体入口筐体２４２２、及び３つの空気ポンプ隔壁２５０８の上流にあり、それらに対応する３つの空気入口領域２４２４Ａ、２４２４Ｂ、２４２４Ｃを示している。本明細書に記載のポンプのいくつかの態様において、複数のポンプ室、例えば１つの液体ポンプ室及び２つ以上の空気ポンプ室は、成形多室隔壁によって形成される。
【００７０】
液体ポンプ部分は、ポンプ隔壁２５０６、液体ポンプ隔壁入口２５２６、液体入口弁２５２８、液体ポンプ隔壁室２５３０、液体ポンプ隔壁出口２５３２、及び出口弁２５３４を含む。この態様において、出口弁２５３４は、液体ポンプ隔壁２５０６及び空気ポンプ隔壁２５０８と共に一体化して形成される。液体ポンプ隔壁２５０６、液体ポンプ隔壁入口２５２６、液体入口弁２５２８、液体ポンプ隔壁室２５３０、液体ポンプ隔壁出口２５３２、及び液体出口弁２５３４は、ここに説明する任意の形態を使用してもよい。各空気圧送部分は、空気ポンプ隔壁２５０８、空気ポンプ隔壁入口２５３６、空気入口弁２５３８、空気ポンプ隔壁室２５４０、空気ポンプ隔壁出口２５４２、及び出口弁２５３４を含む。出口弁２５３４は、ポンプ隔壁が陽圧下にあるときに、空気又は液体を混合室内に流入させるために、密閉壁から離れるように歪曲する円筒状の部材である。空気ポンプ隔壁２５０８、空気ポンプ隔壁入口２５３６、空気入口弁２５３８、空気ポンプ隔壁室２５４０、空気ポンプ隔壁出口２５３４、出口弁２５４４は、本明細書で説明する任意の形態を使用してもよい。
【００７１】
動作中、液体ポンプ隔壁２５０６は、膨張し、収縮して液体を圧送し、３つの空気ポンプ隔壁２５０８は、膨張し、収縮して空気を圧送する。液体ポンプ隔壁２５０６の膨張により、液体入口弁２５２８が開き、液体入口２５２６を経て液体ポンプ隔壁室２５３０内に液体が引き込まれる。各空気ポンプ隔壁２５０８の膨張により、対応する空気入口弁２５３８が開き、対応する空気ポンプ隔壁室２５４０内に空気が引き込まれる。空気は、対応する空気入口２５３６（１つのみ表示）を経て各空気ポンプ隔壁２５０８に入る。揺動板２５０４は、モーター（図示せず）に接続され、本明細書に述べる任意の形態を採用してもよい。モーターは、揺動板２５０４の端部を順次波打たせる。波打ちにより、液体ポンプ隔壁２５０６を圧縮し、それにより出口弁２５３４が液体で開き、液体は混合室２５１０内に流れる。出口弁２５３４は、ポンプ隔壁２５０６、２５０８と同一材料などの柔軟性材料でできており、場合によっては、ポンプ隔壁２５０６、２５０８及び出口弁２５３４は、一つの部品として形成される。柔軟性材料は、液体ポンプ隔壁２５０６の膨張中に、また液体ポンプ隔壁２５０６が充填状態にあるときに、出口弁２５３４を閉じたままにできる。一方で、液体ポンプ隔壁２５０６の圧縮中に、出口弁２５３４の柔軟性材料は開き、液体は混合室２５１０内に流れる。
【００７２】
その後、空気ポンプ隔壁２５０８のうちの１つは、揺動板２５０４が波打って圧縮され、出口弁２５３４を開き、空気を混合室２５１０内に流す。柔軟性材料は、対応する空気ポンプ隔壁２５０８の膨張中に、また空気ポンプ隔壁２５０８が充填状態にあるときに、出口弁２５３４を閉じたままにできる。一方で、液体と同様に、空気ポンプ隔壁２５０８の圧縮中に、出口弁２５３４の柔軟性材料は開き、空気が混合室２５１０内に入る。同様に、残りの空気ポンプ隔壁２５０８は、空気を順次圧縮し混合室２５１０内に圧送する。混合室２５１０内で空気と液体は混ぜ合わさって泡混合物を生成する。泡混合物は、ポンプ出口２４１２を経て発泡ポンプ２４００を出る。
【００７３】
以上のように、液体は、液体ポンプ隔壁２５０６から混合室２５１０内に直接圧送される。言い換えれば、液体は、液体ポンプ隔壁２５０６を出た後に、かつ混合室２５１０に入る前に、追加の導管又は経路を通って移動する必要はない。いくつかの態様において、液体ポンプ隔壁出口２５３２と混合室２５１０との間の距離が短いほど、発泡ポンプ２４００の効率が向上する。
【００７４】
泡混合物が発泡ポンプ２４００を出た後に、泡混合物は、発泡カートリッジ筐体２５１４の導管２５４６内を移動し、発泡カートリッジ２５１６に入る。発泡カートリッジ筐体２５１４は、泡混合物を下方に流すように導く曲がり管である。泡混合物の下方への流れは、泡混合物の生産効率を改善する。しかしながら、発泡カートリッジ筐体は、泡混合物が出口ノズル２５１８から出るようにする任意の形態を採用することができる。
【００７５】
上述の態様のいずれにおいても、空気経路に対する液体経路の寸法は、変更してもよい。特定の態様において、液体経路は、空気経路に対し約２０倍弱〜４０倍弱である。また特定の態様において、液体入口弁及び／又は出口弁は、空気入口弁及び／又は出口弁よりも高いクラッキング圧力を有する。
【００７６】
発泡ポンプの典型的な態様は、石鹸又は消毒剤の分注器で使用してもよい。本明細書に記載の詰替ユニットは、少なくとも液体を保持する容器を含む。詰替ユニットは、分注器から取り外し可能であり、新規の詰替ユニットと交換することができる。いくつかの態様において、発泡ポンプは、分注器の恒久的な部品であり、詰替ユニットは、発泡ポンプの取付部品（図示せず）に接続する容器及び取付部品を含む。いくつかの態様において、詰替ユニットは、容器に固定された発泡ポンプを含み、発泡ポンプは、分注器に恒久的に固定されたモーターなどの駆動ユニットに取り外し可能に接続する。いくつかの態様において、詰替ユニットは、容器、発泡ポンプ、及びモーターを含む。いくつかの態様において、詰替ユニットは、例えば電池のような電源を含む。
【００７７】
いくつかの態様において、分注器は、直流（ＤＣ）電源を含む。いくつかの態様において、電源は、約５〜約９Ｖを含み、約６〜約８Ｖを含み、約３Ｖを含み、約４．５Ｖを含み、約６Ｖを含み、約７．５Ｖを含み、約８Ｖを含み、及び約９Ｖを含む、３〜９Ｖの電圧を含む。
【００７８】
いくつかの態様において、分注器は、約１．９〜２．５ｍＬ／秒を含み、約１．９ｍＬ／秒を含み、約２．０ｍＬ／秒を含み、約２．１ｍＬ／秒を含み、約２．２ｍＬ／秒を含み、約２．３ｍＬ／秒を含み、約２．４ｍＬ／秒を含み、及び約２．５ｍＬ／秒を含む、約１ｍＬ／秒〜約２．５ｍＬ／秒の発泡体量で分注する。
【００７９】
従来の機械式ピストン型の発泡ポンプでは、１２ｍＬの分注した発泡体当たりに１．８Ｊを必要とし、その結果、発泡体１ｍＬあたり０．１５Ｊであった。液体の容積は０．９であり、空気：液体の比は１１：１であった。本発明の一態様に従って構成された典型的なポンプは、１２ｍＬの分注した発泡体当たり０．６Ｊしか必要とせず、その結果発泡体１ｍＬあたり０．０５Ｊであった。液体の容積は０．５であり、空気：液体の比は２４：１であった。
【００８０】
いくつかの典型的な態様において、発泡ポンプの駆動に使用するモーターは、１２ｍＬ発泡体の生産当たりに、約０．６〜１．５Ｊを含み、約０．５〜１．３Ｊを含み、約０．０〜１．３Ｊを含み、約０．９〜１．３Ｊを含み、約０．５Ｊを含み、約０．６Ｊを含み、約０．７Ｊを含み、約０．８Ｊを含み、約０．９Ｊを含み、約１．０Ｊを含み、約１．１Ｊを含み、約１．２Ｊを含み、約１．３Ｊを含む、０．４〜１．５Ｊを消費する。
【００８１】
いくつかの態様において、発泡体の生産容積は、約１００〜１２０ｍＬを含み、約８０ｍＬを含み、約９０ｍＬを含み、約１００ｍＬを含み、約１１０ｍＬを含み、及び約１２０ｍＬを含む、約６０〜１３０ｍＬの発泡体である。
【００８２】
いくつかの態様において、発泡体の生産容積は、約０．０８ｇ／Ｌを含み、約０．０９ｇ／Ｌを含み、約０．１ｇ／Ｌを含み、約０．１１ｇ／Ｌを含み、及び約０．１２ｇ／Ｌを含む、約０．０８ｇ〜約０．１２５ｇ／Ｌの発泡体密度を有する。
【００８３】
いくつかの態様において、発泡ポンプは、約１０：１の空気比を有する発泡体を生成するようになっている。いくつかの態様において、発泡ポンプは、約９：１の空気比を有する発泡体を生成するようになっている。いくつかの態様において、発泡ポンプは、約８：１の空気比を有する発泡体を生成するようになっている。いくつかの態様において、発泡ポンプは、約７：１の空気比を有する発泡体を生成するようになっている。発泡ポンプは、約６：１の空気比を有する発泡体を生成するようになっている。
【００８４】
上述の態様は、一般に１つの液体ポンプ室及び複数の空気室を有するポンプを含むが、いくつかの態様において、ポンプは、１つより多い液体ポンプ室を有する。いくつかの態様において、ポンプは、２つ以上の液体ポンプ室を有する。いくつかの態様において、２つ以上の液体ポンプ室は、２つ以上の異なる液体を圧送する。
【００８５】
図２６は、超高容積の発泡石鹸を提供する典型的な発泡体出口ノズル２６００の透視図である。この典型的な態様において、出口ノズル２６００は、本明細書に記載の４室の順次作動式隔壁型発泡ポンプ２６０２に接続されるが、出口ノズル２６００は、他のポンプと共に使用してもよい。ポンプ２６０２は、液体入口２６０４及び３つの空気入口２６２４（２つだけを表示）及び外向きに広がる出口ノズル２６５０を含む。
【００８６】
図２７は、図２６の典型的な発泡体出口ノズル２６００の断面図である。発泡体出口ノズル２６００は、流体入口２７０２を含む。流体入口２７０２は、発泡ポンプ２６０２から液体／空気の混合物を受け入れる。流体は、通路内を移動し、混合媒体２７０４を通過し、この混合媒体２７０４は、例えば、混合物中に乱流を引き起こして発泡体を生成する網であってもよい。泡混合物は、例えばさらに網であってもよい第２の混合媒体２７０８を通過する。この典型的な態様は２つの混合媒体２７０４、２７０８を含むが、１つの混合媒体２７０８のみが、出口ノズル２６００の新規のデザインにおいて高品質の発泡体を提供することが見出されている。泡混合物は、内径２７２０を有する通路を通過し、内径２７２２を有する第２通路内に移動する。いくつかの態様において、内径２７２０及び２７２２は、約０．２インチ〜約０．３５インチである。発泡体出口ノズル２６００は、末広がり先端部２７１０を含む。いくつかの態様において、末広がり先端部２７１０は、約０．５インチ〜約０．７インチの内径を有する。さらに、吐出口２７０９の長さ２７３０は、発泡体出口ノズル２６００を通り生産される発泡体の品質に影響を及ぼすことが見出されている。いくつかの態様において、吐出口の長さ２７３０は約０．３インチ〜約１．２５インチである。発泡体出口ノズル２６００の典型的な態様は、低くとも０．０４ｇ／ｃｍ3、低くとも０．０４ｇ／ｃｍ3、低くとも０．０３ｇ／ｃｍ3、及び低くとも０．０２ｇ／ｃｍ3の生成した発泡体の密度を有する。影響の限界はなく、高い発泡容積は、大口径の吐出口２７０９及び末広がり先端部２７１０によると考えられる。チューブ内を進行する保持時間をあまり短くすることはできず、泡は壊れてしまう。
【００８７】
いくつかの典型的な態様において、発泡ポンプ２６０２の液体シリンダ（図示せず）は、例えば空運転、小径の液体隔壁、絞り弁、絞り入口、液体隔壁内に配置したスポンジなどの発泡ポンプ２６０２に入る液体流を絞り込む機構を活用する。いくつかの態様において、アルコール型及び界面活性剤型の石鹸配合物濃度に応じて、発泡ポンプ２６０２のノズル２６００は、デザインを変えてもよい。単一の網を有するより大きな直径のノズルは、アルコール又は非理想的な界面活性剤を有する石鹸のような発泡しにくい石鹸配合物を発泡し、大きな気泡を有する発泡体を生成する。より良好な発泡性配合物は、より小さなノズル直径及び二重網を組み合わせると、均質で小さい気泡を有する高容積の発泡体を生成することができる。
【００８８】
本発明は、その態様の説明によって明示されていて、その態様はかなり詳細に記載されているものの、添付の特許請求の範囲をその詳細に限定し、かつあらゆる面でそれを制限することは、本出願者の意思ではない。さらなる利点及び改善は、当業者には容易に明らかになる。さらに、一態様で説明した要素は、他の態様での使用に容易に適合させることができる。結果として、本発明はより広範な局面において、提示され説明された特定の詳細、代表的な装置、及び典型的な例に限定はされない。従って、出願人の一般的な発明概念の趣旨又は範囲から逸脱することなく、その詳細から発展させることも可能である。
【図１】
2019519258.tif 000003
【図２】
2019519258.tif 000004
【図２Ａ】
2019519258.tif 000005
【図３】
2019519258.tif 000006
【図４】
2019519258.tif 000007
【図５】
2019519258.tif 000008
【図６】
2019519258.tif 000009
【図７】
2019519258.tif 000010
【図８】
2019519258.tif 000011
【図９】
2019519258.tif 000012
【図１０Ａ】
2019519258.tif 000013
【図１０Ｂ】
2019519258.tif 000014
【図１０Ｃ】
2019519258.tif 000015
【図１１】
2019519258.tif 000016
【図１２】
2019519258.tif 000017
【図１３】
2019519258.tif 000018
【図１４】
2019519258.tif 000019
【図１５】
2019519258.tif 000020
【図１６】
2019519258.tif 000021
【図１７】
2019519258.tif 000022
【図１８】
2019519258.tif 000023
【図１９Ａ】
2019519258.tif 000024
【図１９Ｂ】
2019519258.tif 000025
【図２０Ａ】
2019519258.tif 000026
【図２０Ｂ】
2019519258.tif 000027
【図２１Ａ】
2019519258.tif 000028
【図２１Ｂ】
2019519258.tif 000029
【図２１Ｃ】
2019519258.tif 000030
【図２１Ｄ】
2019519258.tif 000031
【図２１Ｅ】
2019519258.tif 000032
【図２２】
2019519258.tif 000033
【図２３】
2019519258.tif 000034
【図２４】
2019519258.tif 000035
【図２５】
2019519258.tif 000036
【図２６】
2019519258.tif 000037
【図２７】
2019519258.tif 000038
【国際調査報告】
2019519258.tif 000039
2019519258.tif 000040